【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
表面プラズモン共鳴（Surface Plasmon Resonance）信号の分析方法であって、
ＳＰＲが生じる導電層から得られる光強度を示す第１の信号を、前記層における入射、反射または回折の角度の関数として処理するステップであって、前記第１の信号は、各波長にて表面プラズモン共鳴が生じるそれぞれの角度における光の各波長にそれぞれが対応する二つの凹みと、前記二つの凹みの間に位置する一つのピークとを有し、当該ステップが前記ピークの領域における信号の大きさを示す量である第１の値を導出することを含むステップと、
ＳＰＲが生じる導電層から得られる光強度を示す第２の信号を、前記層における入射、反射または回折の角度の関数として処理するステップであって、前記第２の信号は、各波長にて表面プラズモン共鳴が生じるそれぞれの角度における光の各波長に対応するそれぞれが二つの凹みと、前記二つの凹みの間に位置する一つのピークとを有し、当該ステップが前記ピークの領域における信号の大きさを示す量である第２の値を導出することを含むステップと、
前記第１および第２の値を比較し、前記第１の信号の取得後、前記第２の信号の取得前における前記導電層の屈折率の変化を検出するステップと、を備える方法。
【請求項２】
前記変化を検出するステップは、前記変化の大きさを導出することを含む、請求項１に記載の方法。
【請求項３】
前記第１の信号は、試料を前記層と接触させる前に記録され、前記第２の信号は、前記試料を前記層と接触させた後に記録される、請求項２に記載の方法。
【請求項４】
屈折率の前記変化が前記層の上のプローブに結合するターゲットに起因するように、プローブが前記層の上で固定され、前記試料がターゲットを備える、請求項３に記載の方法。
【請求項５】
両方の波長で同時に照明を提供するステップと、
両方の波長で同時に前記信号を取得するステップと、をさらに備える、請求項１から４のいずれか一項に記載の方法。
【請求項６】
前記ピークの領域における信号の大きさを示す量は、前記ピークと閾値強度レベルの間であって前記信号より下側の面積を備える、請求項１から５のいずれか一項に記載の方法。
【請求項７】
前記閾値強度レベルは、前記凹みにおける各信号の大きさの差に比例する、請求項６に記載の方法。
【請求項８】
前記ピークの領域における信号の大きさを示す量は、前記ピークの高さを備える、請求項１から５のいずれか一項に記載の方法。
【請求項９】
前記第１の信号の各凹みにおける前記量および前記角度の少なくとも二つの値と、前記第２の信号の同じ少なくとも二つの値とを比較することにより、前記第１および第２の信号の間の整合性を確認するステップをさらに備える、請求項１から８のいずれか一項に記載の方法。
【請求項１０】
前記第１の信号、前記第２の信号またはその両方から計測される一以上のパラメータの各値を、前記一以上のパラメータの期待される各値と比較するステップをさらに備え、
好ましくは、前記各値が整合しない場合に前記信号を不合格とするステップをさらに備え、
追加的または代替的に、前記各値が整合するように前記導電層の向きを調整するステップをさらに備える、請求項１から９のいずれか一項に記載の方法。
【請求項１１】
前記導電層は、当該導電層に試料を接触させるための液体保持構造を備えるカートリッジに接して設けられる、請求項１から１０のいずれか一項に記載の方法。
【請求項１２】
前記カートリッジは、当該カートリッジ内で液体の流れを生じさせるために回転可能である請求項１１に記載の方法。
【請求項１３】
前記導電層は、格子形状を備える、請求項１から１２のいずれか一項に記載の方法。
【請求項１４】
屈折率の変化を検出する方法であって、
二つの波長の光を導電層に同時に照明するステップと、
前記波長の一方にて生じる表面プラズモン共鳴に起因して第１の強度極小値となる角度および前記波長の他方にて生じる表面プラズモン共鳴に起因して第２の強度極小値となる角度の間にわたる角度で、前記導電層の表面から返る光の強度を測定するステップと、
前記測定した強度の変化を検出することにより前記導電層における屈折率の変化を検出するステップと、を備える方法。
【請求項１５】
前記変化を検出するステップは、前記測定した強度の変化に基づいて前記導電層の表面に付着した試料中のターゲット分子の濃度を定量化することを含む、請求項１から１４のいずれか一項に記載の方法。
【請求項１６】
表面プラズモン共鳴（Surface Plasmon Resonance）信号を分析するためのシステムであって、
ＳＰＲが生じる導電層から得られる光強度を示す第１の信号を、前記層における入射、反射または回折の角度の関数として処理する手段であって、前記第１の信号は、各波長にて表面プラズモン共鳴が生じるそれぞれの角度における光の各波長にそれぞれが対応する二つの凹みと、前記二つの凹みの間に位置する一つのピークとを有し、当該第１の信号を処理する手段が前記ピークの領域における信号の大きさを示す量である第１の値を導出するように構成される手段と、
ＳＰＲが生じる導電層から得られる光強度を示す第２の信号を、前記層における入射、反射または回折の角度の関数として処理する手段であって、前記第２の信号は、各波長にて表面プラズモン共鳴が生じるそれぞれの角度における光の各波長にそれぞれが対応する二つの凹みと、前記二つの凹みの間に位置する一つのピークとを有し、当該第２の信号を処理する手段が前記ピークの領域における信号の大きさを示す量である第２の値を導出するように構成される手段と、
前記第１および第２の値を比較し、前記第１の信号の取得後、前記第２の信号の取得前における前記導電層の屈折率の変化を検出する手段と、を備えるシステム。
【請求項１７】
前記第１および第２の値を比較して変化を検出する手段は、前記変化の大きさを導出するように構成される、請求項１６に記載のシステム。
【請求項１８】
前記第１の信号を処理する手段は、試料を前記層と接触させる前に前記第１の信号を記録するように構成され、
前記第２の信号を処理する手段は、前記試料を前記層と接触させた後に前記第２の信号を記録するように構成される、請求項１７に記載のシステム。
【請求項１９】
屈折率の前記変化が前記層の上のプローブに結合するターゲットに起因するように、プローブが前記層の上で固定され、前記試料がターゲットを備える、請求項１８に記載のシステム。
【請求項２０】
両方の波長で同時に照明を提供する手段と、
両方の波長で同時に前記信号を取得する手段と、をさらに備える、請求項１６から１９のいずれか一項に記載のシステム。
【請求項２１】
前記第１および第２の信号を処理する手段は、前記ピークと閾値強度レベルの間であって前記信号より下側の面積に基づいて、前記ピークの領域における信号の大きさを示す量を導出するように構成される、請求項１６から２０のいずれか一項に記載のシステム。
【請求項２２】
前記閾値強度レベルは、前記凹みにおける各信号の大きさの差に比例する、請求項２１に記載のシステム。
【請求項２３】
前記第１および第２の信号を処理する手段は、前記ピークの高さに基づいて、前記ピークの領域における信号の大きさを示す量を導出する、請求項１６から２０のいずれか一項に記載のシステム。
【請求項２４】
前記第１の信号の各凹みにおける前記量および前記角度の少なくとも二つの値と、前記第２の信号の同じ少なくとも二つの値とを比較することにより、前記第１および第２の信号の間の整合性を確認する手段をさらに備える、請求項１６から２３のいずれか一項に記載のシステム。
【請求項２５】
前記第１の信号、前記第２の信号またはその両方から計測される一以上のパラメータの各値を、前記一以上のパラメータの期待される各値と比較する手段をさらに備え、
好ましくは、前記各値が整合しない場合に前記信号を不合格とする手段と、前記各値が整合するように前記導電層の向きを調整する手段との一方または双方をさらに備える、請求項１６から２４のいずれか一項に記載のシステム。
【請求項２６】
前記導電層は、当該導電層に試料を接触させるための液体保持構造を備えるカートリッジに接して設けられる、請求項１６から２５のいずれか一項に記載のシステム。
【請求項２７】
前記カートリッジは、当該カートリッジ内で液体の流れを生じさせるために回転可能である請求項２６に記載のシステム。
【請求項２８】
前記導電層は、格子形状を備える、請求項１６から２７のいずれか一項に記載のシステム。
【請求項２９】
屈折率の変化を検出するためのシステムであって、
二つの波長の光を導電層に同時に照明する光源配置と、
前記波長の一方にて生じる表面プラズモン共鳴に起因して第１の強度極小値となる角度および前記波長の他方にて生じる表面プラズモン共鳴に起因して第２の強度極小値となる角度の間にわたる角度で、前記導電層の表面から返る光の強度を測定する検出器配置と、
前記測定した強度の変化を検出することにより前記導電層における屈折率の変化を検出するプロセッサと、を備えるシステム。
【請求項３０】
前記プロセッサは、請求項１から１３のいずれか一項に記載される方法を実行するように構成される、請求項２９に記載のシステム。
【請求項３１】
前記検出する手段または前記プロセッサは、前記測定した強度の変化に基づいて前記導電層の表面に付着した試料中のターゲット分子の濃度を定量化するように構成される、請求項１６から３０のいずれか一項に記載のシステム。
【請求項３２】
前記光源配置は、二つのレーザダイオードと、前記二つのレーザダイオードから出力される光を混合する手段と、各レーザダイオードから出力される波長を調整する手段と、を備える、請求項２９から３１のいずれか一項に記載のシステム。
【請求項３３】
前記調整する手段は、レーザダイオードの間に配置される、または、レーザダイオードの一方に接する冷却または加熱要素を備える、請求項３２に記載のシステム。